(57)【要約】【課題】施工性、安定性のよい鉄筋網用スペーサを提供する。【解決手段】デッキプレート２２上に配置する鉄筋網２３の鉄筋２３ａを支持するスペーサ３１であり、間隔をおいて上方に伸びる２本の立ち上がり部３２ａ、３２ｂと、各立ち上がり部の上端から互いに近づく方向に間隔をおいて概ね平行に伸びる２本の下側水平部３３ａ、３３ｂ、その端部から彎曲して立ち上がった弧状部、弧状部の上端部を繋ぐ上側水平部３３ｃを有して、扁平な螺旋状をなす鉄筋支持部３３と、各立ち上がり部の下端から、デッキプレート上面に載ってそれぞれの側の下側水平部に対して鋭角をなす向きで互いに反対側の山部端まで伸びる水平な載置部３４ａ、３４ｂと、各載置部の端に形成されたグリップ部３５とを備えている。スペーサ３１を鉄筋に添わせ回転させ上から押し下げるという簡単な作業で、鉄筋を支持した状態でデッキプレートの山部に嵌合固定できる。また、安定性がよい。【選択図】図７
2010121271.tif 000002
【特許請求の範囲】
【請求項１】
山部と谷部とが交互に配置され山部両側の斜面部にそれぞれ内側に屈曲した１対のカギ部を持つ断面形状のデッキプレートを敷設し格子状の鉄筋網を配置しコンクリートを打設して合成床版を構築する際に、敷設したデッキプレート上に配置する鉄筋網の鉄筋を支持する鉄筋網用スペーサであって、
間隔をおいて上方に伸びる２本の立ち上がり部と、
前記２本の立ち上がり部の上端から互いに近づく方向であって、かつ、間隔をおいて概ね平行に伸びる２本の下側水平部、及び該２本の下側水平部の端部から彎曲して立ち上がった弧状部及び、該弧状部にそれぞれの上端部が互いに繋がってなる上側水平部を有して、前記下側水平部と前記弧状部と前記上側水平部とで扁平な螺旋状をなす鉄筋支持部と、
前記２本の立ち上がり部の各下端から、デッキプレート上面に載ってそれぞれの側の下側水平部に対して鋭角をなす向きで互いに反対方向のデッキプレート山部と斜面部の角部まで伸びる水平な載置部と、
各載置部の端からそれぞれ外向き斜め下方に折れ曲がった傾斜部とその先端から内向き斜め下方に折れ曲がって前記カギ部に係合する係合部とを有して、山部の上部を山部幅方向両側から弾性的にグリップするグリップ部とを備えたことを特徴とする鉄筋網用スペーサ。
【請求項２】
前記鉄筋網用スペーサ全体が１本の金属線材を屈曲形成してなることを特徴とする請求項１記載の鉄筋網用スペーサ。
【請求項３】
前記２つの水平な載置部の長さが異なっていることを特徴とする請求項１又は２記載の鉄筋網用スペーサ。
【請求項４】
前記２つの載置部が概ね互いに平行であり、かつ、当該鉄筋網用スペーサを、両載置部のそれぞれ外側のグリップ部を結ぶ線がデッキプレートの山部幅方向を向くように配置した時に、２つの載置部が上面から見て山部幅方向に対して傾斜していることを特徴とする請求項１〜３記載のいずれかに鉄筋網用スペーサ。
【請求項５】
請求項１〜４のいずれかの鉄筋網用スペーサを用いてデッキプレート上の鉄筋網を支持する鉄筋網支持方法であって、
予めデッキプレート上に鉄筋網を直接配置し、
鉄筋網用スペーサを、その鉄筋支持部の２つの下側水平部が前記鉄筋網における前記デッキプレートの山部幅方向をなす鉄筋のいずれかの鉄筋を平行に挟むような姿勢にし前記鉄筋を持ち上げて、鉄筋支持部の上側水平部を前記鉄筋に載せ、
次いで、鉄筋網用スペーサを、その鉄筋支持部が鉄筋を鉄筋長手方向から見てリング状に囲む状態であって、かつ、両側のグリップ部のデッキプレート山部幅方向の間隔が最も拡がった状態となるように回転させ、
次いで、鉄筋網用スペーサを押し下げて、前記載置部をデッキプレートの上面に載せると同時に、両側のグリップ部にてデッキプレートの山部の上部を山部幅方向両側から弾性的にグリップすることを特徴とする鉄筋網支持方法。
【発明の詳細な説明】
【技術分野】
【０００１】
この発明は、山部両側の斜面部にそれぞれ内側に屈曲した１対のカギ部を持つ断面形状のデッキプレートを敷設し格子状の鉄筋網を配置しコンクリートを打設して合成床版を構築する際に、敷設したデッキプレート上に配置する鉄筋網を支持する鉄筋網用スペーサ、及びこれを用いた鉄筋網支持方法に関する。
【背景技術】
【０００２】
型枠として敷設したデッキプレート上に鉄筋を配置しコンクリートを打設して床を構築する際、鉄筋のデッキプレート上面からの高さ位置を確保するために、一般に、デッキプレート上にスペーサを配置し、このスペーサに鉄筋を載せて、コンクリートを打設することが行われている。
【０００３】
この場合、デッキプレート上に配置する補助的な鉄筋として一般に溶接金網（鉄筋網）が用いられているが、溶接金網をデッキプレート上に配置する際、溶接金網のデッキプレート上面からの高さ位置を確保するために、前記と同様にデッキプレート上に鉄筋網スペーサ（以下スペーサと略す）を配置しこのスペーサ上に溶接金網を載せる。
この種のスペーサとして種々のものがあるが、簡単なものとして、コンクリートやプラスチック等の単なる小ブロックであるスペーサブロックが用いられている。この場合、デッキプレート上に溶接金網を敷き並べた後、この溶接金網の下にスペーサブロックを置くことで、デッキプレートと溶接金網の間隔を確保する。
なお、溶接金網は、コンクリートのひび割れ防止が主な目的であり、構造部材として機能する狭義の「鉄筋」でないが、溶接金網を構成する鉄線等のようないわば補助的な鉄筋も鉄筋と呼ぶ。
【０００４】
また、前記スペーサブロックと同様にデッキプレート上に単に置くスペーサとして、金属線材を加工して、溶接金網とスペーサとが噛み合って簡単に外れないように工夫したものもある（特許文献１、２）。
特許文献１のスペーサ１は、図１１に示すように、凸部２ａの両側に水平部２ｂを持つ形状に屈曲させた２本の脚材２の上部間に、中央に隆起部３ａを形成した２本の連結材３を溶接固定した構造であり、鉄筋（溶接金網を構成する鉄線）４を２本の連結材３間に押し込んで凸部２ａの上端に載せる。その時、２本の連結材３の隆起部３ａ間が狭くされていることで、鉄筋４の外れ防止が図られる。
特許文献２のスペーサ５は、図１２（イ）、（ロ）に示すように、１本の金属線材を複雑に屈曲させて、三角形状の立ち上がり部６の上部に鉄筋４を載せる支承部７及び鉄筋４を挟み付ける挟付部８を形成した構造であり、鉄筋４を両側の挟付部８間に押し込んで支承部７に載せる。その時、両側の挟付部８間が狭くされていることで、鉄筋４の外れ防止が図られる。このスペーサ５は、溶接金網に予め取り付けておき、スペーサ５を取り付けた溶接金網をデッキプレート上に敷設する。
【０００５】
また、金属線材を加工したスペーサとして、デッキプレートの断面形状を利用してデッキプレートに固定する構造のスペーサ（特許文献３）もある。
特許文献３のスペーサ１０は、図１３に示すように、凸部１１ａの両側に水平部１１ｂを持ちその先端に係合部１１ｃを持つ２本の脚材１１の前記凸部１１ａ間に、直線状の支承バー１２を溶接固定した構造であり、スペーサ１０をデッキプレート形状を利用してデッキプレートに固定した後、溶接金網の鉄筋（鉄線）４を支承バー１２に載せるようにして敷き並べ、番線でスペーサ１０を鉄筋４に固定する
【０００６】
また、溶接金網でなく狭義の鉄筋の場合であるが、図１４に示したスペーサ１３のように、１本の金属線材を屈曲させて、鉄筋１４に巻き付くような形の螺旋環状部１５及びその両側の門形の立ち上がり部１６を形成した構造のものもある（特許文献４）。
特許文献４のスペーサ１３は、予めその螺旋環状部１５を鉄筋に挿入した後に、鉄筋を配置する。
【０００７】
また、上記の各スペーサをさらに改善したものとして、図１５に示すようなスペーサ２１もある（特許文献５）。このスペーサ２１は、１本の金属線材を折曲加工してなるものであり、間隔をおいて垂直に伸びる２本の立ち上がり部２７ａ、２７ｂの間に、上から見て概ねＵ字形をなしそのＵ字形の底部２６ａが低くなるように傾斜した鉄筋受け部２６を備え、前記各立ち上がり部２７ａ、２７ｂの下端からそれぞれ、デッキプレート上面に載って互いに反対側の山部端に延びる水平な載置部２９ａ、２９ｂを備え、各載置部２９ａ、２９ｂの端に、デッキプレート２２の山部２２ａの両側の斜面部２２ｂに形成したカギ部２２ｃに係合するための係合部を持つグリップ部３０を備えている。
スペーサ２１の前記Ｕ字形の鉄筋受け部２６に溶接金網２３の鉄筋２３ａを収容して、溶接金網２３を支持する。Ｕ字形の鉄筋受け部２６は底部２６ａが鉄筋径より広く、開口部２６ｂが鉄筋径より若干狭くなっているので、鉄筋を開口部２６ｂから押し込むと容易には外れない。
このスペーサ２１は、構造が簡単で生産性が高く安いコストで製造可能であり、さらに前述の各スペーサ１、５、１０、１３と比べて施工性も良好である。
【特許文献１】特許第３２７７２４２号
【特許文献２】実用新案登録第３０９５８８１号
【特許文献３】特公平６−５４０５３
【特許文献４】特許第２６４９１４１号
【特許文献５】特開２００７−１６２４３３
【発明の開示】
【発明が解決しようとする課題】
【０００８】
上記従来の単なる小ブロックであるスペーサブロックは、安価であるが、スペーサーが簡単に鉄筋から外れるので溶接金網の固定ができず、デッキプレートと溶接金網の間隔が一定しない恐れがあり、かぶり厚さが不適切となってコンクリートにクラックが発生する原因となりかねない。
【０００９】
特許文献１のスペーサ１は４本の金属線材の屈曲及び溶接加工を必要とするので、製作が煩雑であり、部材コストが高くなる。
また、特許文献１のスペーサ１あるいは特許文献２のスペーサ５は、鉄筋４からは簡単に外れないが、溶接金網の浮き上がりや横移動は防止できないので、作業者が溶接金網の上に載って歩くと溶接金網がずれ動いてしまう。
【００１０】
特許文献３のスペーサ１０は、スペーサ１０を設置後、溶接金網を複数人で持ち上げて敷き並べ、番線で固定する必要があるので、施工手間が掛かる。
【００１１】
特許文献４のスペーサ１３は、スペーサ１３の環状部１５に鉄筋を挿入することで、鉄筋に取り付けるのであるから、適用される鉄筋の外径は狭い範囲に制限される。
【００１２】
一般に、鉄筋をスペーサで支持してデッキプレート上に配置するに際して、鉄筋の配置作業を能率的に行えることが望まれる。また、スペーサを設置する際に、スペーサがみだりに移動したり倒れたりせずに安定であることが望まれる。また、鉄筋を配置した後にその上に人が乗ることもしばしばあるので、人が乗る場合でも安定であることが望まれる。また、鉄筋の位置がどのような位置にあっても、スペーサがそれを支持できることが望まれる。また、スペーサの構造が簡単で生産性が高く安いコストで製造できることが望まれる。
山部両側の斜面部にカギ部を持つデッキプレートに適用されるスペーサとして、これらの要求を満たすものが望まれているが、上記の特許文献１〜４の各スペーサはそれぞれに長所があっても全体として満足できるものではない。
【００１３】
特許文献５のスペーサ２１は、特許文献１〜４の各スペーサと較べると、施工性が良好で、安定して鉄筋を支持することができ、支持すべき鉄筋の位置に不都合なく対応することができ、さらに構造が簡単で生産性が高く安いコストで製造できる。
しかし、溶接金網２３を支持するに際し、先にスペーサ２１をデッキプレート２２の山部２２ａにグリップ部３０にて嵌合させた後に鉄筋２３ａをＵ字形の鉄筋受け部２６に押し込んで収容するので、予めスペーサ２１を正確に位置あわせして嵌合させる必要があり、その正確な位置合わせが面倒である。位置がずれると、スペーサ２１をデッキプレート２２から一旦外して、再度嵌合し直す必要があった。
また、２つの垂直な立ち上がり部２７ａ、２７ｂの上端間がＵ字状の鉄筋受け部２６の狭い開口部２６ｂであり、２つの立ち上がり部２７ａ、２７ｂの間隔が狭いため、スペーサ２１をデッキプレート２２の山部２２ａに嵌合させた状態でも、安定性が必ずしも十分とは言えなかった。
【００１４】
本発明は上記従来の欠点を解消するためになされたもので、構造が簡単で生産性が高く安いコストで製造可能で、かつ支持すべき鉄筋の位置に不都合なく対応することが可能であるとともに、スペーサ設置作業及び鉄筋網の配置作業の施工性が一層向上し、デッキプレート上で一層安定して鉄筋を支持することができる鉄筋網用スペーサ、及びこれを用いた鉄筋網支持方法を提供することを目的とする。
【課題を解決するための手段】
【００１５】
上記課題を解決する請求項１の発明は、山部と谷部とが交互に配置され山部両側の斜面部にそれぞれ内側に屈曲した１対のカギ部を持つ断面形状のデッキプレートを敷設し格子状の鉄筋網を配置しコンクリートを打設して合成床版を構築する際に、敷設したデッキプレート上に配置する鉄筋網の鉄筋を支持する鉄筋網用スペーサであって、
間隔をおいて上方に伸びる２本の立ち上がり部と、
前記２本の立ち上がり部の上端から互いに近づく方向であって、かつ、間隔をおいて平行に伸びる２本の下側水平部、及び該２本の下側水平部の端部から彎曲して立ち上がった弧状部及び、該弧状部にそれぞれの上端部が互いに繋がってなる上側水平部を有して、前記下側水平部と前記弧状部と前記上側水平部とで扁平な螺旋状をなす鉄筋支持部と、
前記２本の立ち上がり部の各下端から、デッキプレート上面に載ってそれぞれの側の下側水平部に対して鋭角をなす向きで互いに反対方向のデッキプレート山部と斜面部の角部まで伸びる水平な載置部と、
各載置部の端からそれぞれ外向き斜め下方に折れ曲がった傾斜部とその先端から内向き斜め下方に折れ曲がって前記カギ部に係合する係合部とを有して、山部の上部を山部幅方向両側から弾性的にグリップするグリップ部とを備えたことを特徴とする。
【００１６】
請求項２は、請求項１の鉄筋網用スペーサにおいて、鉄筋網用スペーサ全体が１本の金属線材を屈曲形成してなることを特徴とする。
【００１７】
請求項３は、請求項１又は２の鉄筋網用スペーサにおいて、２つの水平な載置部の長さが異なっていることを特徴とする。
【００１８】
請求項４は、請求項１〜３のいずれかの鉄筋網用スペーサにおいて、前記２つの載置部が概ね互いに平行であり、かつ、当該鉄筋網用スペーサを、両載置部のそれぞれ外側のグリップ部を結ぶ線がデッキプレートの山部幅方向を向くように配置した時に、２つの載置部が上面から見て山部幅方向に対して傾斜していることを特徴とする。
【００１９】
請求項５は、請求項１〜４のいずれかの鉄筋網用スペーサを用いてデッキプレート上の鉄筋網を支持する鉄筋網支持方法であって、
予めデッキプレート上に鉄筋網を直接配置し、
鉄筋網用スペーサを、その鉄筋支持部の２つの下側水平部が前記鉄筋網における前記デッキプレートの山部幅方向をなす鉄筋のいずれかの鉄筋を平行に挟むような姿勢にし前記鉄筋を持ち上げて、鉄筋支持部の上側水平部を前記鉄筋に載せ、
次いで、鉄筋網用スペーサを、その鉄筋支持部が鉄筋を鉄筋長手方向から見てリング状に囲む状態であって、かつ、両側のグリップ部のデッキプレート山部幅方向の間隔が最も拡がった状態となるように回転させ、
次いで、鉄筋網用スペーサを押し下げて、前記載置部をデッキプレートの上面に載せると同時に、両側のグリップ部にてデッキプレートの山部の上部を山部幅方向両側から弾性的にグリップすることを特徴とする。
【発明の効果】
【００２０】
本発明の鉄筋網用スペーサによれば、鉄筋網用スペーサを、その鉄筋支持部の２つの下側水平部が鉄筋網の鉄筋を概ね平行に挟むような姿勢にして上側水平部を鉄筋に載せ、次いで回転させ押し下げるという簡単な操作により、鉄筋を支持した状態でデッキプレートに固定できる。したがって、施工性が良好である。
また、本発明の鉄筋網用スペーサは、これを鉄筋網の鉄筋に係合させた後に、デッキプレートの山部に嵌合固定することができるので、最初からデッキプレートの山部長手方向のあるべき位置に正確に固定することができる。したがって、固定した後に一旦外して再度固定し直すことが必要になることはなく、この点でも施工性が良好である。
また、２つの載置部の間隔Ａや、載置部と下側水平部とがなす角度αや、その他各部の寸法・角度を適切に設定することで、両側の立ち上がり部の山部長さ方向の間隔を広く設定することができる。これにより、鉄筋網用スペーサを安定した状態でデッキプレートに固定することができる。
【００２１】
請求項２によれば、１本の金属線材を屈曲してなり、溶接のない構造なので生産性が高く極めて安価に製造できる。
【００２２】
請求項３によれば  ２つの水平な載置部の長さが異なっているので、鉄筋網用スペーサをデッキプレートに取り付けた時、鉄筋支持部が山部の幅方向中央位置より端側に偏位する。
したがって、鉄筋保持部が、当該スペーサが支持する鉄筋と直交する配置の鉄筋と干渉する恐れがある時は、スペーサをデッキプレート幅方向の逆向きに取り付けることで、その干渉を簡単に回避できる。
【００２３】
請求項４のように、山部幅方向両側の載置部が概ね互いに平行であり、かつ、上面から見て山部幅方向に対して傾斜しており、かつ、両載置部のそれぞれ外側のグリップ部を結ぶ線ｍが概ね山部幅方向をなしている構成によれば、両側の立ち上がり部の間隔を広く設定することができる。
また、両載置部のそれぞれ外側のグリップ部を結ぶ線ｍが概ね山部幅方向をなしていることで、両側のグリップ部は山部を安定してグリップすることができる。
このように、両側の立ち上がり部の間隔を広く設定することと、両側のグリップ部で山部を安定してグリップすることとを共に実現することができる。これにより、鉄筋網用スペーサをさらに安定した状態でデッキプレートに固定することができる。
【００２４】
請求項５の鉄筋網支持方法によれば、本発明の鉄筋網用スペーサの良好な施工性などの長所を有効に実現することができる。
【発明を実施するための最良の形態】
【００２５】
以下、本発明の鉄筋網用スペーサ、及びこれを用いた鉄筋網支持方法の実施例を、図１〜図１０を参照して説明する。
【実施例１】
【００２６】
この実施例の鉄筋網用スペーサ（以下、単にスペーサと略す）３１は、図６〜図８のような断面形状のデッキプレート２２上に格子状の溶接金網（鉄筋網）２３を配置しコンクリートを打設して合成床版を構築する際に用いるスペーサである。すなわち、このデッキプレート２２は、山部２２ａと谷部２２ｇとが交互に配置され、山部２２ａの両側の斜面部２２ｂの中間高さ位置にそれぞれ内側に屈曲したカギ部２２ｃを持つ断面形状のデッキプレートである。また、図示例のデッキプレート２２は３山（山部２２ａが３つ）であり、両端部には敷き並べる際に隣接するもの同士を係合させる係合部２２ｄ、２２ｅを持つ。また、山部２２ａの中央に浅い溝２２ｆを持ち、谷部２２ｇの中央に凸状２２ｈを持つ。
また、溶接金網２３は多数本の鉄筋２３ａを例えば縦横１５０ｍｍ間隔の格子状に溶接したものであり、その１枚のサイズは例えば２ｍ×４ｍ又は１ｍ×２ｍなどである。なお、前述の通り、溶接金網は、構造部材として機能する狭義の「鉄筋」でないが、溶接金網を構成する鉄線も鉄筋と呼ぶ。
【００２７】
図１（イ）はスペーサ３１の正面図、同図（ロ）は同平面図、同図（ハ）は同左側面図、図２は同斜視図である。図３はスペーサ３１をデッキプレート２２の山部２２ａに嵌合させた状態の正面図、図４は同平面図、図５は同左側面図、図７は同斜視図（図６の要部拡大図）である。なお、図１（イ）の正面図はスペーサ３１を図４のＡ方向から見た図である。
これらの図に示すように、このスペーサ３１は、１本の鉄線（金属線材）を屈曲して形成したものであり、間隔をおいて上方に伸びる２本の立ち上がり部３２ａ、３２ｂと、  前記２本の立ち上がり部３２ａ、３２ｂの上端から互いに近づく方向（平面図の図１（ロ）参照）であって、かつ、間隔をおいて概ね平行に伸びる２本の下側水平部３３ａ、３３ｂ、及び該２本の下側水平部３３ａ、３３ｂの端部から彎曲して立ち上がった（正面図の図１（イ）参照）弧状部３３ｄ及び、該弧状部３３ｄにそれぞれの上端部が互いに繋がってなる上側水平部３３ｃを有して、前記下側水平部３３ａ、３３ｂと前記弧状部３３ｄと前記上側水平部３３ｃとで扁平な螺旋状をなす鉄筋支持部３３と、前記２本の立ち上がり部の各下端から、デッキプレート上面に載ってそれぞれの側の下側水平部に対して鋭角をなす向きで互いに反対方向のデッキプレート山部と斜面部の角部まで伸びる水平な載置部と、前記２本の立ち上がり部３２ａ、３２ｂの各下端から、デッキプレート上面に載ってそれぞれの側の下側水平部３３ａ、３３ｂに対して鋭角をなす向きで互いに反対方向のデッキプレート山部２２ａと斜面部２２ｂの角部Ｑ（図３参照）まで伸びる水平な載置部３４ａ、３４ｂと、各載置部３４ａ、３４ｂの端からそれぞれ外向き斜め下方に折れ曲がった傾斜部３５ａとその先端から内向き斜め下方に折れ曲がって前記カギ部に係合する係合部３５ｂとを有して、山部２２ａの上部を山部幅方向両側から弾性的にグリップするグリップ部３５とを備えている。
また、載置部３４ａ、３４ｂの伸びる方向についての前記の“それぞれの側の前記下側水平部３３ａ、３３ｂに対して鋭角をなす向き”とは、後述する図１０（ロ）における角度αが鋭角であることを意味する。
【００２８】
前記２つの水平な載置部３４ａ、３４ｂの長さは異なっている。したがって、スペーサ３１をデッキプレート２２に取り付けた時、図３、図４のように、鉄筋支持部３３がデッキプレート２２の山部２２aの幅方向中央位置より端側（図３、図４では右端側）に偏位している。
【００２９】
また、前記２つの載置部３４ａ、３４ｂは概ね互いに平行であり、かつ、当該スペーサ３１を、両載置部３４ａ、３４ｂのそれぞれ外側のグリップ部３５、３５を結ぶ線ｍがデッキプレート２２の山部幅方向を向くように配置した時に、２つの載置部３４ａ、３４ｂは上面から見て山部幅方向に対して傾斜している。
したがって、２つの立ち上がり部３２ａ、３２ｂは、図４に示す通り、前記グリップ部３５、３５を結ぶ線ｍを挟んで互いに反対側に位置している。実施例のスペーサ３１は、デッキプレート２２に取り付けた時、グリップ部３５、３５を結ぶ線ｍが図４のようにデッキプレート２２の山部幅方向に対して僅かに傾いている。
【００３０】
実施例における各部の形状寸法を、主として図１０（イ）、（ロ）を参照して説明する。図１０（イ）は図４と同じ図形、図１０（ロ）は図１（ロ）を同じ図形である。なお、図１０では、混雑を避けるために、各部の符号を極力省略している。
実施例のデッキプレート２２の山部２２ａの幅Ｗ０は１４４ｍｍである。
実施例のスペーサ３１に用いた鉄線の径は５ｍｍφである。
スペーサ３１の山部幅方向寸法Ｗは約１４９ｍｍで、デッキプレート２２の山部幅寸法Ｗ０（１４４ｍｍ）より僅かに長い。互いに平行な２つの載置部３４ａ、３４ｂ間の距離Ａは約４０ｍｍである。
長い方の載置部３４ａの長さＢ１は約１１５ｍｍ（鉄線の軸心間の長さ（以下同じ））、短い方の載置部３４ｂの長さＢ２は約４５ｍｍである。
上面から見た下側水平部３３ａ、３３ｂの長さＣは約４０ｍｍ、上側水平部３３ｃの長さＤは約３３ｍｍである。
上面から見た載置部３４ａと下側水平部３３ａとがなす角度αは約４０°、下側水平部３３ａと上側水平部３３ｃとがなす角度βは約１５°である。
【００３１】
このスペーサ３１をデッキプレート２２の山部２２ａに嵌合させた状態では、図１０（イ）のようになり、両側のグリップ部３５の端を結ぶ直線ｍは概ね山部幅方向（図１０（イ）で左右方向）をなしている。また、この状態で２つの立ち上がり部３２ａ、３２ｂ間の山部長さ方向（図１０（イ）で上下方向）の間隔Ｅは約４５ｍｍ、山部幅方向間隔Ｆは約１７ｍｍである。
載置部３４ａ、３４ｂの山部幅方向に対する角度（上面から見た角度（以下同じ））γは約１５°である。
また、スペーサ３１のデッキプレート上面より上側の高さＨ（図３）は５８ｍｍである。
【００３２】
上記のスペーサ３１を用いてデッキプレート２２上に溶接金網２３を配置する場合、予め溶接金網２３をデッキプレート２２に直接載せて敷き並べる。
次いで、溶接金網２３の適宜箇所にてスペーサ３１を溶接金網２３のデッキプレート山部幅方向の鉄筋２３ａに図３〜図７のように取り付ける。
その要領を説明すると、デッキプレート２２上の溶接金網２３の鉄筋２３ａを持ち上げた状態で、スペーサ３１を、図９に示すように、その鉄筋支持部３３の２つの下側水平部３３ａ、３３ｂが鉄筋２３aを平行に挟むような姿勢にして上側水平部３３ｃを鉄筋２３ａに載せ、次いで矢印のように回転させて、スペーサ３１を概ね図４（図１０（イ））のような姿勢、すなわち左右のグリップ部３５を結ぶ直線ｍが概ね山部幅方向をなす姿勢にする。この時、両側のグリップ部３５のデッキプレート山部幅方向の間隔は概ね最も拡がった状態である。
次いで、スペーサ３１を足で踏む等して押し下げると、スペーサ３１の両側のグリップ部３５が線材の弾性により一旦開いた後閉じることで、先端の係合部３５ｂが斜面部２２ｂに形成されたカギ部２２ｃに係合する。
これにより、スペーサ３１が、その両側のグリップ部３５にてデッキプレート２２の山部２２ａに嵌合する。この場合、両グリップ部３５を結ぶ線ｍが概ね山部幅方向をなしていることで、両側のグリップ部３５はデッキプレート２２の山部２２ａの上部を安定してグリップすることができる。
そして鉄筋２３ａは、鉄筋支持部３３の下側水平部３３ａで支持されて所定の高さに位置決めされる。
この場合、鉄筋２３ａは、山部幅方向から見て図５に示すようにリング状をなす鉄筋支持部３３にて支持されるので、容易に外れない状態で支持される。
このように、鉄筋網用スペーサ３１を、図９のような姿勢にしてから回転させ次いで押し下げるという簡単な操作により、鉄筋２３ａを支持した状態でデッキプレート２２に固定できる。したがって、施工性が良好である。
また、スペーサ３１を溶接金網２３の鉄筋２３ａに係合させた後に、デッキプレート２２の山部２２ａに嵌合固定することができるので、最初からデッキプレート２２の山部長手方向のあるべき位置に正確に固定することができる。したがって、固定した後に一旦外して再度固定し直すことが必要になることはなく、この点でも施工性が良好である。
【００３３】
また、互いに平行な２つの載置部３４ａ、３４ｂの間隔Ａや、載置部３４ａ（３４ｂ）と下側水平部３３ａ（３３ｂ）とがなす角度αや、その他各部の寸法を適切に設定して、載置部３４ａ（３４ｂ）の山部幅方向に対する角度γを適切な大きさにし、両側の立ち上がり部３２ａ、３２ｂの間隔Ｅを広く設定することができる。これにより、スペーサ３１を安定した状態でデッキプレート２２に固定することができる。
この場合、スペーサ３１を図９の状態から矢印のように回転させて図４（図１０（イ））の姿勢にした時に鉄筋２３ａを支持可能であるためには、下側水平部３３ａ（３３ｂ）の長さＣや上側水平部３３ｃの長さＤや、下側水平部３３ａ（３３ｂ）と上側水平部３３ｃとがなす角度βが適切に設定されていることが必要である。
上述した実施例のスペーサ３１の形状寸法（寸法、角度）は、スペーサ３１を鉄筋２３ａに取り付け易くかつ鉄筋２３ａから外れにくいこと、２つの立ち上がり部３２ａ、３２ｂの間隔を広くして安定した状態でデッキプレート２２に固定できることと、及び、両側のグリップ部３５で山部を安定してグリップできることをいずれも満たす上で、適切な形状寸法（寸法、角度）である。
但し、その角度に限定されるものでなく、例えば１５％程度大きくあるいは小さくすることは可能である。また、実施例はデッキプレート２２の山部２２ａの幅Ｗが１４４ｍｍの場合であるが、幅Ｗが変わればその幅Ｗに比例した寸法範囲を採用するとよい。
【００３４】
上述のように、デッキプレート２２上に溶接金網２３を敷き並べた後にスペーサ３１を溶接金網２３に取り付けることが可能、すなわち後付けが可能なので、溶接金網２３をデッキプレート２２上に敷き並べる後のスペーサ設置作業は１人で行うことができ、施工性が良好である。
また、事前にスペーサ３１を溶接金網２３に取り付けないので、溶接金網２３の敷き並べ作業に際して引っ掛かり部（スペーサのこと）がない点でも、敷き並べ作業がし易く作業性がよい。
また、スペーサ３１の両側のグリップ部３５は、その先端側の係合部３５ｂがデッキプレート２２の山部両側のカギ部２２ｃに係合した状態で、両側から山部２２ａの上部を弾性的にグリップ（挟持）するので、スペーサ３１はデッキプレート２２の山部２２ａにしっかり取り付けられ、みだりに移動することはない。
上記のように、スペーサ３１がデッキプレート２２に容易に外れないようにしっかり取り付けられ、また、鉄筋２３ａがスペーサ３１の鉄筋支持部３３から外れる恐れはないので、施工後にその上を人が歩いたりしても、溶接金網パネル２３がずれ動いたりすることはない。
【００３５】
また、このスペーサ３１は１本の鉄線を屈曲して形成したものであり、溶接のない構造なので生産性が高く極めて安価に製造できる。
また、上述の通り、２つの水平な載置部３４ａ、３４ｂの長さが異なっており、鉄筋支持部３３がデッキプレート２２の山部２２ａの幅方向中央位置より端側に偏位しているので、鉄筋保持部３３が、当該スペーサ３１が支持する鉄筋２３ａと直交する配置の鉄筋２３ｂと干渉する恐れがある時は、スペーサをデッキプレート幅方向の逆向きに取り付けることで、その干渉を簡単に回避できる。
【図面の簡単な説明】
【００３６】
【図１】本発明の一実施例の鉄筋網用スペーサを示すもので、（イ）は正面図（図４のＡ方向から見た図）、（ロ）は平面図、（ハ）は左側面図である。
【図２】図１の鉄筋網用スペーサの斜視図である。
【図３】図１の鉄筋網用スペーサをデッキプレートに取付けた状態で示した正面図である。
【図４】図３の平面図である。
【図５】図３の右側面図である。
【図６】図１の鉄筋網用スペーサを用いてデッキプレート上に溶接金網を配置した状態を示す斜視図である。
【図７】図６の要部の拡大図である。
【図８】図６のＢ矢視図である。
【図９】上記鉄筋網用スペーサをデッキプレートの山部に図４のように取り付ける要領を説明する図であり、図４の状態にする前段階の平面図である。
【図１０】上記鉄筋網用スペーサの形状寸法を説明するための図で、（イ）は図４と同じ図形、（ロ）は図１（ロ）と同じ図形（但し縮小している）を用いている。
【図１１】従来の鉄筋網用スペーサの一例を示す斜視図である。
【図１２】従来の鉄筋網用スペーサのさらに他の例を示すもので、（イ）は斜視図、（ロ）は正面図である。
【図１３】従来の鉄筋網用スペーサのさらに他の例を示す斜視図である。
【図１４】従来の鉄筋網用スペーサのさらに他の例を示す斜視図である
【図１５】従来の鉄筋網用スペーサのさらに他の例を示す斜視図である
【符号の説明】
【００３７】
２２  デッキプレート
２２ａ  山部
２２ｂ  斜面部
２２ｃ  カギ部
２２ｇ  谷部
２３    溶接金網（鉄筋網）
２３ａ  鉄筋
３１  スペーサ（鉄筋網用スペーサ）
３２ａ、３２ｂ  立ち上がり部
３３  鉄筋支持部
３３ａ、３３ｂ  下側水平部
３３ｃ  上側水平部
３３ｄ  弧状部
３４ａ、３４ｂ  載置部
３５  グリップ部
３５ａ  傾斜部
３５ｂ  係合部
【図１】
2010121271.tif 000003
【図２】
2010121271.tif 000004
【図３】
2010121271.tif 000005
【図４】
2010121271.tif 000006
【図５】
2010121271.tif 000007
【図６】
2010121271.tif 000008
【図７】
2010121271.tif 000009
【図８】
2010121271.tif 000010
【図９】
2010121271.tif 000011
【図１０】
2010121271.tif 000012
【図１１】
2010121271.tif 000013
【図１２】
2010121271.tif 000014
【図１３】
2010121271.tif 000015
【図１４】
2010121271.tif 000016
【図１５】
2010121271.tif 000017